(57)【要約】【課題】パーティーにおける席順が出席者に分かり易く、しかも、従来のような名前を記入した特別のカードを製作しない方法であって、狭いテーブルであっても邪魔にならない席順表示方法を提供する。【解決手段】本発明では食事をする際に使用する箸３が置かれる箸置きを利用したものであり、箸置きの基板４の一方端には箸３の先端部が載る枕５を設け、そして基板表面に出席者の名前を記入している。【選択図】　　　　図１
2004097237.tif 000002
【特許請求の範囲】
【請求項１】
結婚披露宴等のパーティーにおける席順を定める為に、箸を置く箸置きの基板表面に出席者の名前を記入したことを特徴とする箸置き。
【請求項２】
上記基板の一方端には枕を設け、箸の先端を該枕に載せて置くようにした請求項１記載の箸置き。
【請求項３】
上記枕には凹溝を形成し、該凹溝に箸先端部が嵌って位置ズレを防止を図った請求項２記載の箸置き。
【請求項４】
上記基板の片隅には箸袋を設け、該箸袋には箸の先端部を収容可能にした請求項１記載の箸置き。
【発明の詳細な説明】
【０００１】
【発明の属する技術分野】
本発明は、各種パーテー等においての席を定める札としての機能を備えた箸置きに関するものである。
【０００２】
【従来の技術】
結婚披露宴などに代表される各種パーティーでは、出席者の席は主催者側において前以て定められていて、この席を各出席者に知らせる方法として席札と称されるカードが使用されている。カードには名前が記入されて、透明なプラスチックケースに入った状態でテーブルの所定の位置に配置されている。
【０００３】
ところで、出席者はテーブルに置かれている上記カードを見て自分の席を確認することが出来るが、一旦、自分の席を確認した後は、テーブルに置かれているカードは邪魔になるだけである。そしてパーティーが終るならば、これら全てのカードは廃棄処分されてしまい、特別に製作する手間だけでなく、後始末する手間も必要となる。また、料理が載っている狭いテーブルに席札となるカードを置くことはスペース的にも問題がある。
【０００４】
【発明が解決しようとする課題】
このように、従来のパーティーにおける席順を定めるカードには上記のごとき問題がある。本発明が解決しようとする課題はこの問題点であって、名前を記入した席札としてのカードを用いないで席を知らしめるようにした箸置きを提供する。
【０００５】
【課題を解決する為の手段】
本発明に係る箸置きは単に箸を置くだけでなく、表面に名前を記入している。名前を記入することで従来の名前入りカードとして機能することが出来る。パーティーでは食事をする為の箸が必ず準備される訳で、本発明では必需品である該箸を置く為の箸置きに出席者の名前が記入されている。従って、箸置きに記入されている名前を見て自分の席を確認することが出来る。ここで、箸置きの具体的な形態は限定しないことにし、又置かれる箸の種類も任意である。以下、本発明に係る実施例を図面に基づいて詳細に説明する。
【０００６】
【実施例】
図１はパーティーのテーブル１に各出席者の料理２ａ，２ｂ…が並べられ、そして手前には箸３が置かれている。上記テーブル１は横長形態であるが、円形のテーブルであっても同じであり、従来のテーブル配置であるならば各料理２ａ，２ｂ…の奥に名前を記入した席札であるカードが配置されている。テーブルを準備する作業員は料理の他にカードの配置をしなくてはならないと共に、カードの位置にも気を使い、全てが統一されるようにしている。
【０００７】
そこで本発明では従来の席札となるカードに代わって箸置きが使用される。そして該箸置きには名前が記入されていて、出席者は一目で自分の席を知ることが出来る。箸はパーティーの席では食事をする上で必要なものであり、箸置きに名前を記入することで、席札としてのカードの製作及び配置の手間が要らなくなる。図２は本発明の箸置きを示す実施例であり、細長い長方形の基板１と枕２から成り、枕２は基板１の片端に設けられている。
【０００８】
上記基板４及び枕５は１枚の厚紙を裁断し、所定の形状に折り曲げることで作ることが出来、そして枕５には凹溝６が切込まれて形成されている。勿論、該凹溝６も基板４及び枕５の裁断と同時に枕５の一部を打ち抜いて加工される。そして該箸置きの基板４表面には「○○○○様」と大きく記入されている。従って、パーティに出席した人は自分の席が一目で分かる。
【０００９】
ここで、同図に示している箸置きは、必ずしも紙製に限定するものではなく、樹脂の成形品として箸３が位置ズレしない為の凹溝６も含めて一体成形することが出来る。又、基板４は紙製とし、枕５は樹脂製又は木製として該基板４の一端に固着する場合もある。そして該枕５に箸３の位置ズレを防止する凹溝６を形成しないこともある。
【００１０】
そして、箸３の先端にはキャップ７が嵌っているが、該キャップ７を嵌めない場合もある。図３は箸置きの他の実施例であり、前記図２に示した箸置きと基本的な形態は共通している。すなわち、長方形の基板４の片端には枕５が形成され、該枕５には凹溝６を有している。該枕５は基板４と同一紙片を筒状に曲げて作られている。そして筒状に曲げられた枕５が開かないように、ホッチキスなどの金具で止着したり、接着剤にて固着することも出来る。
【００１１】
図４は本発明に係る箸置きを示す他の実施例であり、この箸置きは細長で長方形の基板８を有し、該基板８の片隅には箸袋９を備えている。箸袋９にはハシ３の先端部が収容されている。そして、基板８の中央部には○○○○様の名前が記入されていて、出席した人は一目で自分の席が分かる。
【００１２】
上記箸置きの基板４，８には出席者の名前が記入されるが、合わせて会社名を併記することは自由である。そして、これら出席者の名前及び会社名はパソコンを使用して簡単に記入することが出来る。ここで、箸置きの材質は限定しないが、多少厚手の和紙を使用することで結婚披露宴等に適した趣のある箸置きとしたり、又、漆器として構成することも出来る。漆器として箸置きを構成する場合には、使い捨てでなく再利用する為に名前を記入したシールを基板４に貼り付けることも可能である。
【００１３】
以上述べたように、本発明に係る箸置きは、その基板表面に出席者の名前を記入したものであり、次のような効果を得ることが出来る。
【００１４】
【発明の効果】
本発明に係る箸置きはパーティーに出席する人の名前を基板表面に記入したものであり、この箸置きにて席順を表示することが出来る。従って従来のような席札としてのカードを必要とせず、数多くの料理が載って混雑するテーブルに席札カードが無いことで、その分だけスペースの余裕が出来、また自分の席が分かった後では何の用もない席札カードが要らないことは経費的にも安くなる。
【００１５】
そして、作業員にしても席札カードをテーブルに配置する手間が省ける。箸は料理の手前に配置される為に、この箸が置かれた箸置き表面に名前が記入されることで、各出席者は自分の名前がある席を捜し易くなる。一方、本発明の箸置きは基板が備わっていることで高級感が得られ、結婚披露宴等のパーティーには適した箸置きとなる。
【図面の簡単な説明】
【図１】パーティーでのテーブル状態。
【図２】本発明の箸置きを示す実施例。
【図３】本発明の箸置きを示す実施例。
【図４】本発明の箸置きを示す実施例。
【符号の説明】
１　テーブル
２　料理
３　箸
４　基板
５　枕
６　凹溝
７　キャップ
８　基板
９　ハシ袋
【図１】
2004097237.tif 000003
【図２】
2004097237.tif 000004
【図３】
2004097237.tif 000005
【図４】
2004097237.tif 000006